(57)【特許請求の範囲】
【請求項１】
印刷装置で編集中の編集情報を一時的に記憶する一時記憶部と、
前記編集情報が前記一時記憶部に記憶されている状態で第１のトリガーが発生したとき、前記編集情報を外部装置に送信する編集情報送信部と、
前記第１のトリガーとは異なる第２のトリガーが発生したとき、前記外部装置で編集中の編集情報の送信指令を前記外部装置に送信する指令送信部と、
前記外部装置から前記編集情報を受信する編集情報受信部と、
第１の操作子および第２の操作子を含む入力部と、を備え、
前記一時記憶部は、前記外部装置から受信した前記編集情報を記憶し、
前記第１のトリガーは、前記第１の操作子の操作であり、前記第２のトリガーは、前記第２の操作子の操作であることを特徴とする印刷装置。
【請求項２】
印刷装置で編集中の編集情報を一時的に記憶する一時記憶部と、
前記編集情報が前記一時記憶部に記憶されている状態で第１のトリガーが発生したとき、前記編集情報を外部装置に送信する編集情報送信部と、
前記第１のトリガーとは異なる第２のトリガーが発生したとき、前記外部装置で編集中の編集情報の送信指令を前記外部装置に送信する指令送信部と、
前記外部装置から前記編集情報を受信する編集情報受信部と、
前記印刷装置の装置姿勢を判定する姿勢判定部と、を備え、
前記一時記憶部は、前記外部装置から受信した前記編集情報を記憶し、
前記第１のトリガーは、前記姿勢判定部による第１の姿勢の判定であり、前記第２のトリガーは、前記姿勢判定部による第１の姿勢以外の姿勢の判定であることを特徴とする印刷装置。
【請求項３】
前記一時記憶部に記憶された前記編集情報に基づいて印刷データを生成する印刷データ生成部と、
前記外部装置から送信された印刷データに基づいて印刷を行う第１のモードと、前記印刷データ生成部により生成された印刷データに基づいて印刷を行う第２のモードと、のいずれかに動作モードを設定する動作モード設定部と、を備え、
前記動作モード設定部は、前記第２のモードに設定されている時に前記第１のトリガーが発生した場合、前記動作モードを前記第１のモードに設定し、前記第１のモードに設定されている時に前記第２のトリガーが発生した場合、前記動作モードを前記第２のモードに設定することを特徴とする請求項１または２に記載の印刷装置。
【請求項４】
前記編集情報が前記一時記憶部に記憶されており且つ前記外部装置と接続が確立されていない状態で前記第１のトリガーが発生したとき、および前記外部装置と接続が確立されていない状態で前記第２のトリガーが発生したとき、自発的に接続確立処理を行う接続確立処理部を備えることを特徴とする請求項１ないし３のいずれか１項に記載の印刷装置。
【請求項５】
前記編集情報は、文字情報および設定情報を含むことを特徴とする請求項１ないし４のいずれか１項に記載の印刷装置。
【請求項６】
前記設定情報は、文字装飾または書式の設定に関する情報を含むことを特徴とする請求項５に記載の印刷装置。
【請求項７】
第１の操作子および第２の操作子を備えた印刷装置で編集中の編集情報を一時記憶部に記憶する第１記憶ステップと、
前記編集情報が前記一時記憶部に記憶されている状態で前記第１の操作子が操作されたとき、前記編集情報を外部装置に送信する編集情報送信ステップと、
前記第２の操作子が操作されたとき、前記外部装置で編集中の編集情報の送信指令を前記外部装置に送信する指令送信ステップと、
前記外部装置から前記編集情報を受信する編集情報受信ステップと、
前記外部装置から受信した前記編集情報を前記一時記憶部に記憶する第２記憶ステップと、を実行することを特徴とする印刷装置の制御方法。
【請求項８】
装置姿勢を判定する姿勢判定部を備えた印刷装置で編集中の編集情報を一時記憶部に記憶する第１記憶ステップと、
前記編集情報が前記一時記憶部に記憶されている状態で前記姿勢判定部により第１の姿勢が判定されたとき、前記編集情報を外部装置に送信する編集情報送信ステップと、
前記姿勢判定部により前記第１の姿勢以外の姿勢が判定されたとき、前記外部装置で編集中の編集情報の送信指令を前記外部装置に送信する指令送信ステップと、
前記外部装置から前記編集情報を受信する編集情報受信ステップと、
前記外部装置から受信した前記編集情報を前記一時記憶部に記憶する第２記憶ステップと、を実行することを特徴とする印刷装置の制御方法。
【発明の詳細な説明】
【技術分野】
【０００１】
本発明は、編集情報を外部装置に送信可能な印刷装置、印刷装置の制御方法に関する。
【背景技術】
【０００２】
従来、この種の技術として特許文献１が知られている。特許文献１には、入力部から入力されたデータ（編集情報）をファイルとして保存するテープ印刷装置が開示されている。また、パーソナルコンピューター等の外部装置からの指令に基づいてテープ印刷装置内に保存されたファイルを外部装置に送信し、バックアップデータとして外部装置内に保存する機能も知られている。
【０００３】
一方、現存するテープ印刷装置の中には、外部装置（専用アプリケーション）で生成された印刷データを受信可能な機種が存在する。例えば、非特許文献１に記載のテープ印刷装置は、外部装置で生成された印刷データを受信してラベルを作成する外部通信モード（パソコンリンクモード）と、テープ印刷装置に搭載された入力部からの入力に基づいてラベルを作成するスタンドアロンモードとを、切り替え可能となっている。
【先行技術文献】
【特許文献】
【０００４】
【特許文献１】特開２０１４−１３３３７７号公報
【非特許文献１】「テプラ」ＰＲＯ  ＳＲ５５０取扱説明書  第１４頁  ２０１３年１０月  第２版  株式会社キングジム
【発明の概要】
【発明が解決しようとする課題】
【０００５】
ところで、外部通信モードとスタンドアロンモードとを切り替え可能な機種の場合、例えばテープ印刷装置でラベルの編集を行っていたが、途中から外部装置側で引き続きラベルの編集を行いたいといった要望がある。外部装置では、大型画面を利用できることや、専用アプリケーションにより多機能化が実現できるなどの理由により、一般的にテープ印刷装置よりも作業効率が良いためである。ところが従来の技術では、テープ印刷装置から外部装置に編集作業を引き継ぐために、ラベルの編集情報を一旦ファイルとしてテープ印刷装置内に保存し、外部装置を操作して、テープ印刷装置から外部装置に編集情報を送信させる、といった操作が必要となり面倒であった。
【０００６】
本発明は、上記の問題点に鑑み、印刷装置から外部装置へ編集作業の引き継ぎを容易に行うことが可能な印刷装置、印刷装置の制御方法を提供することを目的とする。
【課題を解決するための手段】
【０００７】
本発明の印刷装置は、印刷装置で編集中の編集情報を一時的に記憶する一時記憶部と、編集情報が一時記憶部に記憶されている状態で第１のトリガーが発生したとき、編集情報を外部装置に送信する編集情報送信部と、を備えることを特徴とする。
【０００８】
本発明の印刷装置の制御方法は、印刷装置で編集中の編集情報を一時記憶部に記憶する記憶ステップと、編集情報が一時記憶部に記憶されている状態で第１のトリガーが発生したとき、編集情報を外部装置に送信する編集情報送信ステップと、を実行することを特徴とする。
【０００９】
本発明の構成によれば、印刷装置で編集情報を編集しているときに第１のトリガーを発生させることで、編集中の編集情報を外部装置に送信することができる。つまり、編集情報を一旦ファイルとして印刷装置内に保存し、外部装置を操作して、印刷装置から外部装置に編集情報を送信させる、などの面倒な操作を必要とすることなく、印刷装置から外部装置へ編集作業の引き継ぎを容易に行うことができる。
【００１０】
本発明の印刷装置において、第１のトリガーとは異なる第２のトリガーが発生したとき、外部装置で編集中の編集情報の送信指令を外部装置に送信する指令送信部と、外部装置から編集情報を受信する編集情報受信部と、を備え、一時記憶部は、外部装置から受信した編集情報を記憶することを特徴とする。
【００１１】
本発明の構成によれば、第２のトリガーを発生させることで、外部装置で編集中の編集情報を受信し、編集情報として一時記憶部に記憶することができる。つまり、第２のトリガーを発生させるだけの簡単な操作で、外部装置から印刷装置へ、編集作業の引き継ぎを容易に行うことができる。なお、外部装置から印刷装置への編集作業の引き継ぎは、外部装置で何らかの不具合が発生した場合、外部装置を他の作業に用いる場合、外部装置での編集が不慣れであるために印刷装置に編集作業を移行したい場合、などが考えられる。
【００１２】
本発明の印刷装置において、一時記憶部に記憶された編集情報に基づいて印刷データを生成する印刷データ生成部と、外部装置から送信された印刷データに基づいて印刷を行う第１のモードと、印刷データ生成部により生成された印刷データに基づいて印刷を行う第２のモードと、のいずれかに動作モードを設定する動作モード設定部と、を備え、動作モード設定部は、第２のモードに設定されている時に第１のトリガーが発生した場合、動作モードを第１のモードに設定し、第１のモードに設定されている時に第２のトリガーが発生した場合、動作モードを第２のモードに設定することを特徴とする。
【００１３】
本発明の構成によれば、第１のトリガーを発生させることにより、外部装置への編集作業の引き継ぎだけでなく、第１のモードへの動作モードの移行を実現することができる。同様に、第２のトリガーを発生させることにより、外部装置からの編集作業の引き継ぎだけでなく、第２のモードへの動作モードの移行を実現することができる。
【００１４】
本発明の印刷装置において、編集情報が一時記憶部に記憶されており且つ外部装置と接続が確立されていない状態で第１のトリガーが発生したとき、および外部装置と接続が確立されていない状態で第２のトリガーが発生したとき、自発的に接続確立処理を行う接続確立処理部を備えることを特徴とする。
【００１５】
本発明の構成によれば、第１のトリガーまたは第２のトリガーの発生に伴って外部装置との接続確立処理を行うため、ユーザーによる接続確立操作の手間を省略できる。
【００１６】
本発明の印刷装置において、第１の操作子および第２の操作子を含む入力部を備え、第１のトリガーは、第１の操作子の操作であり、第２のトリガーは、第２の操作子の操作であることを特徴とする。
【００１７】
本発明の構成によれば、第１の操作子または第２の操作子の操作により、第１のトリガーまたは第２のトリガーを容易に発生させることができる。
【００１８】
本発明の印刷装置において、装置姿勢を判定する姿勢判定部を備え、第１のトリガーは、姿勢判定部による第１の姿勢の判定であり、第２のトリガーは、姿勢判定部による第１の姿勢以外の姿勢の判定であることを特徴とする。
【００１９】
本発明の構成によれば、装置姿勢を変更するだけで、第１のトリガーまたは第２のトリガーを容易に発生させることができる。特に、第１のトリガーまたは第２のトリガーの発生により動作モードの移行を実現する場合、第１のモード（外部装置と通信するモード）を使用する場合は、外部装置の設置スペース確保のため、印刷装置を設置面積が小さい特定の姿勢で用いることが多いため、その姿勢を判定したときに第１のモードに設定することで、ユーザーが意識することなく、適切な動作モードへの切り替えが可能となる。
【００２０】
本発明の印刷装置において、編集情報は、文字情報および設定情報を含むことを特徴とする。
【００２１】
本発明の印刷装置において、設定情報は、文字装飾または書式の設定に関する情報を含むことを特徴とする。
【００２２】
本発明の構成によれば、編集情報として、文字情報および設定情報を引き継ぐことができる。また、設定情報には、文字装飾または書式の設定に関する情報が含まれるため、編集作業の引き継ぎ先で再度文字装飾や書式を設定する手間を省略できる。
【図面の簡単な説明】
【００２３】
【図１】携帯端末とテープ印刷装置（横置き）の外観斜視図である。
【図２】携帯端末のハードウェア構成を示すブロック図である。
【図３】テープ印刷装置のハードウェア構成を示すブロック図である。
【図４】印刷システムの機能構成を示すブロック図である。
【図５】テープ印刷装置の編集作業引き継ぎ処理の流れを示すフローチャートである。
【図６】変形例１に係る印刷システムの機能構成を示すブロック図である。
【図７】変形例２に係る印刷システムの機能構成を示すブロック図である。
【図８】携帯端末とテープ印刷装置（縦置き）の外観斜視図である。
【発明を実施するための形態】
【００２４】
以下、添付の図面を参照して、本発明の印刷装置、印刷装置の制御方法について説明する。本実施形態では、本発明の印刷装置を、ラベルを作成するためのテープ印刷装置に適用した場合を例示する。
【００２５】
図１は、携帯端末１（外部装置）およびテープ印刷装置２から成る印刷システムＳＹを示す。本実施形態の印刷システムＳＹは、携帯端末１とテープ印刷装置２の双方が、ラベル編集機能を有しており、テープ印刷装置２から携帯端末１へ、および携帯端末１からテープ印刷装置２へ、ラベルの編集作業を引き継ぐことが可能であるものとする。
【００２６】
携帯端末１は、各種タブレット端末（スマートフォンなど）やノート型パソコンなどの情報処理装置によって実現される。同図では、携帯端末１として、タッチパネル１１を搭載したスマートフォンを用いた例を示している。携帯端末１は、Ｂｌｕｅｔｏｏｔｈ（登録商標）などの無線通信によってテープ印刷装置２と通信する。なお、携帯端末１とテープ印刷装置２間の通信は、ＵＳＢ通信やＥｔｈｅｒｎｅｔ（登録商標）などの有線通信規格を用いても良い。
【００２７】
一方、テープ印刷装置２は、装置ケース４０により外郭が形成され、装置ケース４０の前部上面には各種入力キー・ボタンを備えたキーボード２１が配置される。また、装置ケース４０の後部上面には、その左部に開閉蓋４１が取り付けられ、その右部には表示画面２２が配設される。開閉蓋４１の内側にはテープカートリッジＣを装着するためのカートリッジ装着部４２が窪入形成されており、テープカートリッジＣは、開閉蓋４１を開放した状態でカートリッジ装着部４２に装着される。カートリッジ装着部４２には、サーマル方式の印刷ヘッド２７ａ、テープ搬送機構となるテープ送りモーター２７ｂ、後述するテープカッター２７ｄを駆動するカッターモーター２７ｃなどが内蔵される。なお、テープカートリッジＣとは、長尺状の印刷媒体である印刷テープを巻回したテープリールと、インクリボンを巻回したリボンリールとを収容したものである（いずれも図示省略）。
【００２８】
また、装置ケース４０の左側部には、カートリッジ装着部４２と外部とを連通するテープ排出口４３が形成され、このテープ排出口４３には、テープカートリッジＣから繰り出された印刷テープを切断するためのテープカッター２７ｄが臨む。そして、テープ排出口４３から印刷済みの印刷テープが送り出されると、送りを一旦停止させた状態でテープカッター２７ｄにより印刷テープが切断され、短冊状のラベルが作成される。
【００２９】
次に、図２および図３を参照し、携帯端末１およびテープ印刷装置２のハードウェア構成について説明する。図２は、携帯端末１のブロック図である。携帯端末１は、ハードウェア構成として、タッチパネル１１、Ｂｌｕｅｔｏｏｔｈ通信部１２、内蔵メモリー１３および携帯端末側制御部１４を備える。
【００３０】
タッチパネル１１は、表示画面１１ａおよび位置入力部１１ｂを含む。表示画面１１ａは、液晶パネルなどによって実現され、ラベルの編集を行うための編集画面（図示省略）など各種情報を表示する。一方、位置入力部１１ｂは、抵抗膜方式または静電容量方式によってユーザーの操作位置を検出する。Ｂｌｕｅｔｏｏｔｈ通信部１２は、Ｂｌｕｅｔｏｏｔｈ通信規格に基づき、テープ印刷装置２と接続確立処理（ペアリング処理）を行って接続を確立した後、無線通信を行う。
【００３１】
内蔵メモリー１３は、例えばフラッシュＲＯＭ（登録商標）によって実現され、ＯＳ（Operating  System）１３ａや、専用アプリケーション１３ｂを記憶する。専用アプリケーション１３ｂは、テープ印刷装置２を制御するためのスマートフォン用アプリケーションである。
【００３２】
携帯端末側制御部１４は、ＣＰＵ（Central  Processing  Unit）およびＲＡＭ（Random  Access  Memory）等によって実現され、上記の各部（符号１１ないし符号１３）と連携し、テープ印刷装置２に供給する印刷データの生成処理やテープ印刷装置２との通信制御を行う。また、ＲＡＭの一部は、編集用メモリー１４ａとして利用される。当該編集用メモリー１４ａは、携帯端末１におけるラベルの編集時に、その編集内容を示す編集情報を記憶するための作業領域として用いられる。
【００３３】
図３は、テープ印刷装置２のブロック図である。テープ印刷装置２は、ハードウェア構成として、キーボード２１、表示画面２２、テープ検出センサー２４、Ｂｌｕｅｔｏｏｔｈ通信部２５、内蔵メモリー２６、印刷機構２７および印刷装置側制御部２８を備える。
【００３４】
キーボード２１は、印刷データを生成するためのテキストや画像の入力等を行う。また、キーボード２１は、ラベルの編集情報を携帯端末１に送信するための送信ボタン２１ａ（第１の操作子）と、ラベルの編集情報を携帯端末１から受信するための受信ボタン２１ｂ（第２の操作子）と、を含む。表示画面２２は、キーボード２１の入力結果（ラベルの編集内容）や、テープ検出センサー２４の検出結果などを表示する。
【００３５】
テープ検出センサー２４は、テープカートリッジＣに収容された印刷テープに関するテープ情報を検出する。テープ情報としては、印刷テープのテープ幅、テープ材質、テープ色などを検出する。なお、検出方法としては、テープカートリッジＣに貼付または印刷された画像（バーコードや２次元コードなど）やＲＦＩＤ（Radio  Frequency  Identification）を読み取る方法、テープカートリッジＣに形成された１以上の孔の有無を検出する方法、などが考えられる。Ｂｌｕｅｔｏｏｔｈ通信部２５は、Ｂｌｕｅｔｏｏｔｈ通信規格に基づいて携帯端末１と通信を行う。
【００３６】
内蔵メモリー２６は、例えばフラッシュＲＯＭ（登録商標）によって実現され、テープ印刷装置２のファームウェア２６ａを記憶する。印刷機構２７は、印刷ヘッド２７ａ、テープ送りモーター２７ｂ、カッターモーター２７ｃおよびテープカッター２７ｄを含む。
【００３７】
印刷装置側制御部２８は、ＣＰＵやＲＡＭ等によって実現され、上記の各部（符号２１ないし符号２７）と連携し、携帯端末１との通信制御や印刷制御を行う。また、ＲＡＭの一部は、編集用メモリー２８ａとして利用される。当該編集用メモリー１４ａは、テープ印刷装置２におけるラベル編集時に、その編集内容を示す編集情報を記憶するための作業領域として用いられる。
【００３８】
次に、図４を参照し、印刷システムＳＹの機能構成について説明する。携帯端末１は、機能構成として、受信部５１、表示部５２、入力部５３、一時記憶部５０、印刷データ生成部５４および送信部５５を備える。
【００３９】
受信部５１は、テープ印刷装置２から、テープ印刷装置２で編集中の編集情報（以下、「第１の編集情報」と称する）を受信したり、携帯端末１で編集中の編集情報（以下、「第２の編集情報」と称する）をテープ印刷装置２に送信させる送信指令を受信したりする。テープ印刷装置２から受信した第１の編集情報は、第２の編集情報として（携帯端末１で編集可能な情報として）、一時記憶部５０に記憶される。つまり、第２の編集情報は、入力部５３およびテープ印刷装置２の入力部６７のいずれによって入力された情報であっても良い。
【００４０】
なお、第１の編集情報および第２の編集情報は、いずれも文字情報および設定情報を含む。また、編集情報に、画像情報（ビットマップデータなど）を含めても良い。編集情報に含まれる情報のうち文字情報は、文字（数字、記号、絵文字等を含む）の入力情報を指す。一方、設定情報は、文字装飾または書式の設定に関する情報を含む。文字装飾とは、飾り字（影文字、白抜き文字など）、斜体文字、強調文字、文字の伸縮、文字囲み、網掛け文字、文字間隔、書体、文字サイズ、割付け、外枠、表組み、文字方向、などの設定に関する情報を指す。また、書式とは、定長印刷、地紋印刷、ラベル前後・上下の余白、などの設定に関する情報を指す。
【００４１】
表示部５２は、第２の編集情報などを表示する。入力部５３は、タッチパネル１１に相当し、ラベルを作成するための情報を入力する。一時記憶部５０は、揮発性の記憶媒体である編集用メモリー１４ａに相当し、第２の編集情報を一時的に記憶する。
【００４２】
印刷データ生成部５４は、一時記憶部５０に記憶された第２の編集情報に基づいて印刷データを生成する。当該印刷データは、文字や画像を印刷するためのコマンド、印刷テープを切断するためのコマンドなど各種コマンドを含む。
【００４３】
送信部５５は、印刷データ生成部５４により生成された印刷データをテープ印刷装置２に送信する。また、送信部５５は、テープ印刷装置２から第２の編集情報の送信指令を受信した場合であって、携帯端末１がラベル編集中である場合（一時記憶部５０に第２の編集情報が記憶されている場合）、第２の編集情報をテープ印刷装置２に送信する。
【００４４】
一方、テープ印刷装置２は、機能構成として、指令送信部６１、接続確立処理部７１、編集情報送信部７２、受信部６８（編集情報受信部）、入力部６７、一時記憶部６０、印刷データ生成部７４および印刷部６９を備える。
【００４５】
入力部６７は、キーボード２１に相当し、ラベルを作成するための情報を入力する。また、入力部６７は、第１のトリガーを発生させるための第１の操作子（送信ボタン２１ａ）と、第２のトリガーを発生させるための第２の操作子（受信ボタン２１ｂ）を含む。一時記憶部６０は、揮発性の記憶媒体である編集用メモリー２８ａに相当し、第１の編集情報を一時的に記憶する（記憶ステップ）。
【００４６】
接続確立処理部７１は、第１の編集情報が一時記憶部６０に記憶されており且つ携帯端末１と接続が確立されていない状態で第１のトリガーが発生したとき（送信ボタン２１ａが操作されたとき）、および携帯端末１と接続が確立されていない状態で第２のトリガーが発生したとき（受信ボタン２１ｂが操作されたとき）、自発的に接続確立処理を行う。
【００４７】
指令送信部６１は、第２のトリガーが発生したとき、第２の編集情報をテープ印刷装置２に送信させるための送信指令を携帯端末１に送信する。なお、指令送信部６１は、接続確立処理部７１により接続確立処理が行われた場合、接続確立処理後に送信指令を送信する。編集情報送信部７２は、第１の編集情報が一時記憶部６０に記憶されている状態で第１のトリガーが発生したとき、第１の編集情報を携帯端末１に送信する（編集情報送信ステップ）。
【００４８】
受信部６８は、上記の送信指令に対し、携帯端末１から第２の編集情報を受信する。携帯端末１から受信した第２の編集情報は、第１の編集情報として（テープ印刷装置２で編集可能な情報として）、一時記憶部６０に記憶される。つまり、第１の編集情報は、入力部６７および携帯端末１の入力部５３のいずれによって入力された情報であっても良い。また、受信部６８は、携帯端末１から印刷データを受信する。
【００４９】
印刷データ生成部７４は、一時記憶部６０に記憶された第１の編集情報に基づいて印刷データを生成する。印刷部６９は、印刷データ生成部７４により生成された印刷データ、または受信部６８で受信した印刷データに基づいて印刷を行う。
【００５０】
次に、図５のフローチャートを参照し、テープ印刷装置２の編集作業引き継ぎ処理の流れを説明する。なお、同図に示すフローチャートは、テープ印刷装置２の電源ＯＮ後、定期的に繰り返されるものである。テープ印刷装置２は、まず送信ボタン２１ａが押下（操作）されたか否かを判定する（Ｓ０１）。送信ボタン２１ａが押下されたと判定した場合は（Ｓ０１：Ｙｅｓ）、携帯端末１との接続が確立されているか否かを判定する（Ｓ０２）。ここで、接続が確立されていないと判定した場合は（Ｓ０２：Ｎｏ）、テープ印刷装置２の識別情報をブロードキャストし（Ｓ０３）、識別情報が一致した携帯端末１と接続を確立する（Ｓ０４）。接続を確立すると、編集用メモリー２８ａ内の編集情報（第１の編集情報）をテープ印刷装置２に送信する（Ｓ０５）。なお、Ｓ０２にて、「Ｙｅｓ」と判定された場合は、Ｓ０３，Ｓ０４を省略する。
【００５１】
一方、Ｓ０１にて「Ｎｏ」と判定された場合は、受信ボタン２１ｂが押下（操作）されたか否かを判定する（Ｓ０６）。受信ボタン２１ｂが押下されたと判定した場合は（Ｓ０６：Ｙｅｓ）、携帯端末１との接続が確立されているか否かを判定する（Ｓ０７）。ここで、接続が確立されていないと判定した場合は（Ｓ０７：Ｎｏ）、テープ印刷装置２の識別情報をブロードキャストし（Ｓ０８）、識別情報が一致した携帯端末１と接続を確立する（Ｓ０９）。接続を確立すると、携帯端末１に対し編集中の編集情報（第２の編集情報）の送信指令を送信し（Ｓ１０）、その後携帯端末１から編集情報を受信する（Ｓ１１）。また、受信した編集情報を、編集用メモリー２８ａに展開する（Ｓ１２）。なお、Ｓ０７にて、「Ｙｅｓ」と判定された場合は、Ｓ０８，Ｓ０９を省略する。
【００５２】
以上説明したとおり、本実施形態のテープ印刷装置２は、ラベル編集が行われている最中に送信ボタン２１ａが押下された場合、編集中の編集情報（第１の編集情報）を携帯端末１に送信する。つまり、ユーザーは、送信ボタン２１ａを押下するだけで、テープ印刷装置２から携帯端末１へラベル編集作業の引き継ぎを簡単に行うことができる。また、テープ印刷装置２は、受信ボタン２１ｂが押下された場合、携帯端末１で編集中の編集情報（第２の編集情報）の送信指令を携帯端末１に送信する。つまり、ユーザーは、受信ボタン２１ｂを押下するだけで、携帯端末１からテープ印刷装置２へラベル編集作業の引き継ぎを簡単に行うことができる。
【００５３】
また、テープ印刷装置２は、送信ボタン２１ａまたは受信ボタン２１ｂが押下されたとき、携帯端末１との接続確立処理を自発的に行うため、ユーザーによる接続確立操作の手間を省略できる。また、編集作業を引き継ぐ際は、編集情報として文字情報および設定情報を送受信するため、引き継ぎ先で再度文字装飾や書式を設定する手間を省略できる。
【００５４】
なお、上記の実施形態によらず、以下の変形例を採用可能である。
[変形例１]
変形例１では、送信ボタン２１ａおよび受信ボタン２１ｂの押下に伴って、テープ印刷装置２の動作モードを切り替える。動作モードは、外部通信モード（第１のモード）とスタンドアロンモード（第２のモード）との間で切り替える。ここで、外部通信モードとは、携帯端末１から印刷データを受信し、且つ入力部６７（キーボード２１）による情報入力を無効にするモードである。一方、スタンドアロンモードとは、携帯端末１から印刷データを受信せず、且つ入力部６７より入力された情報に基づいて印刷データを生成するモードである。
【００５５】
図６は、変形例１に係る印刷システムＳＹの機能構成を示すブロック図である。本変形例は、上記の実施形態の機能構成（図４参照）と比較し、テープ印刷装置２内に動作モード設定部６４を追加した構成となっている。動作モード設定部６４は、外部通信モードとスタンドアロンモードのいずれかに動作モードを設定する。具体的には、スタンドアロンモード設定時（第２のモードに設定されている時）に送信ボタン２１ａが押下された場合（第１のトリガーが発生した場合）、動作モードを外部通信モードに設定する。但し、外部通信モードの設定は、テープ印刷装置２が第１の編集情報を携帯端末１に送信した後に行う。逆に、外部通信モード設定時（第１のモードに設定されている時）に受信ボタン２１ｂが押下された場合（第２のトリガーが発生した場合）、動作モードをスタンドアロンモードに設定する。但し、スタンドアロンモードの設定は、テープ印刷装置２送信指令を送信し、第２の編集情報を受信した後に行う。
【００５６】
このように、変形例１によれば、送信ボタン２１ａの押下により、携帯端末１への編集作業の引き継ぎだけでなく、外部通信モードへの動作モードの移行を実現することができる。同様に、受信ボタン２１ｂの押下により、携帯端末１からの編集作業の引き継ぎだけでなく、スタンドアロンモードへの動作モードの移行を実現することができる。したがって、ユーザーによる動作モード切り替え操作の手間を省略できる。
【００５７】
[変形例２]
変形例２では、テープ印刷装置２の装置姿勢に応じて、動作モードを切り替えると共に編集作業の引き継ぎを行う。つまり、装置姿勢の判定結果を、第１のトリガーまたは第２のトリガーとして利用する。本変形例のテープ印刷装置２は、図８に示す「縦置き」の姿勢（第１の姿勢）、または図１に示す「横置き」の姿勢での使用が可能となっている。「縦置き」とは、テープ印刷装置２の底面３１が設置台（図示省略）に対して垂直（地軸と略平行）となる姿勢、つまり背面３４が設置面となる姿勢である。また、「横置き」とは、テープ印刷装置２の底面３１が設置台に対して水平となる姿勢、つまり底面３１が設置面となる姿勢である。
【００５８】
図７は、変形例２に係る印刷システムＳＹの機能構成を示すブロック図である。本変形例は、変形例１の機能構成（図６参照）と比較し、テープ印刷装置２内に姿勢判定部６３を追加した構成となっている。なお、本変形例の入力部６７は、第１の操作子（送信ボタン２１ａ）および第２の操作子（受信ボタン２１ｂ）を省略可能である。姿勢判定部６３は、重力加速度センサーなど不図示の姿勢検出センサーの検出結果に基づき、テープ印刷装置２の装置姿勢を常時（電源ＯＮ後、定期的に）判定する。具体的には、テープ印刷装置２が「縦置き」の姿勢であるか（図８参照）、「縦置き」以外の姿勢であるかを判定する。
【００５９】
また、本変形例の動作モード設定部６４は、姿勢判定部６３によりテープ印刷装置２の装置姿勢が「縦置き」と判定された場合、外部通信モードに設定する。なお、「縦置き」は、テープ印刷装置２の設置面積が最も小さくなる姿勢であり、且つテープ印刷装置２が自立可能な姿勢である。また、動作モード設定部６４は、姿勢判定部６３によりテープ印刷装置２の装置姿勢が「縦置き」以外の姿勢と判定された場合、スタンドアロンモードに設定する。なお、本変形例では、図１に示すように、テープ印刷装置２の装置姿勢が「横置き」の場合だけでなく、テープ印刷装置２の右側面３２が下向きとなる姿勢でも、スタンドアロンモードに設定する。
【００６０】
このように、変形例２によれば、装置姿勢を変更するだけで、容易に第１のトリガーまたは第２のトリガーを発生させることができる。また、装置姿勢が「縦置き」の場合に外部通信モードに設定するため、設置面積を小さくすることができ、机上の作業スペースを有効利用することができる。また、本実施形態のテープ印刷装置２は、電源ＯＮ状態において常時装置姿勢を判定するため、ユーザーは、電源ボタンの操作や装置姿勢の判定を行うための操作を必要とすることなく、容易に動作モードを切り替えることができる。
【００６１】
なお、更なる変形例として、姿勢判定部６３によりテープ印刷装置２の装置姿勢が「縦置き」以外の姿勢から「縦置き」に変更されたと判定されたとき、編集情報と共に、テープ検出センサー２４により検出されたテープ情報を携帯端末１に送信するテープ情報送信部（図示省略）をテープ印刷装置２に追加しても良い。このように、外部通信モードに移行する際、外部通信モード時に必要となるテープ検出センサー２４の検出結果を携帯端末１に送信するため、外部通信モード切り替え後にユーザーがテープ情報送信操作を行う手間を省略できる。
【００６２】
また、更なる変形例として、姿勢判定部６３によりテープ印刷装置２の装置姿勢が「縦置き」以外の姿勢から「縦置き」に変更されたと判定されたとき、表示画面２２の表示を非表示にしたり、表示画面２２の照明（バックライト）を消灯したりしても良い。この場合、表示画面２２に表示された情報のうち、一部のみを非表示にしたり、バックライトの照度を小さくしたりするなど、表示画面２２の表示態様を一部変更するだけでも良い。このように、表示画面２２の表示制御を行うことで、外部通信モード時における無駄な電力消費を防止できる。
【００６３】
また、更なる変形例として、テープ印刷装置２の装置姿勢が「縦置き」以外の姿勢から「縦置き」に変更されたと判定されたとき、オートパワーオフ（キーボード２１が所定時間操作されなかった場合に、自動的に電源ＯＦＦする機能）を無効にしても良い。この構成によれば、ユーザーの意思に反してテープ印刷装置２が電源ＯＦＦ状態となることを防止できる。
【００６４】
また、更なる変形例として、姿勢判定部６３によりテープ排出口４３（排出口）が下向きとなる装置姿勢と判定された場合、印刷部６９による印刷実行を禁止しても良い。このように、テープ印刷装置２の左側面３３（図１参照）が下向きとなる姿勢の場合に印刷実行を禁止することで、テープ排出口４３から印刷テープが排出されず紙ジャムを起こしてしまうことを防止できる。
【００６５】
また、更なる変形例として、電源ＯＮ時のみ装置姿勢を判定し、電源ＯＮ後は装置姿勢を判定しない構成でも良い。この構成によれば、何らかの原因で装置姿勢が変化したことによりユーザーの意志に反して動作モードが切り替えられてしまう誤動作を防止できる。
【００６６】
[変形例３]
本変形例では、携帯端末１側の操作でテープ印刷装置２の動作モードを切り替える。但し、本変形例では、スタンドアロンモード時も、携帯端末１とテープ印刷装置２が通信可能であることを前提とする。本変形例では、例えば携帯端末１で外部通信モードからスタンドアロンモードへのモード切り替え操作が行われた場合、携帯端末１から第２の編集情報をテープ印刷装置２に送信する。また、携帯端末１でスタンドアロンモードから外部通信モードへのモード切り替え操作が行われた場合、テープ印刷装置２に対し、第１の編集情報の送信指令を送信する。当該送信指令に対し、テープ印刷装置２は、第１の編集情報を携帯端末１に送信する。この構成によれば、携帯端末１とテープ印刷装置２が離れた場所にある場合でも、携帯端末１側から動作モードの切り替え指示、および編集作業の引き継ぎ指示を行うことができる。
【００６７】
[その他の変形例]
上記の実施形態および変形例に示した印刷システムＳＹ（携帯端末１およびテープ印刷装置２）における各構成要素をプログラムとして提供しても良い。また、そのプログラムを各種記録媒体（ＣＤ−ＲＯＭ、フラッシュメモリー等）に格納して提供しても良い。すなわち、コンピューターを印刷システムＳＹの各構成要素として機能させるためのプログラム、およびそれを記録した記録媒体も、本発明の権利範囲に含まれる。また、上記の実施形態では、本発明の印刷装置をテープ印刷装置に適用した場合を例示したが、テープ印刷装置以外の印刷装置にも、本発明を適用可能である。その他、携帯端末１を他の情報処理装置で実現するなど、本発明の要旨を逸脱しない範囲で、適宜変更が可能である。
【符号の説明】
【００６８】
１…携帯端末、２…テープ印刷装置、５０…一時記憶部、５１…受信部、５２…表示部、５３…入力部、５４…印刷データ生成部、５５…送信部、６０…一時記憶部、６１…指令送信部、６７…入力部、６８…受信部、６９…印刷部、７１…接続確立処理部、７２…編集情報送信部、７４…印刷データ生成部、ＳＹ…印刷システム。
【図１】
0006672870.tif 000002
【図２】
0006672870.tif 000003
【図３】
0006672870.tif 000004
【図４】
0006672870.tif 000005
【図５】
0006672870.tif 000006
【図６】
0006672870.tif 000007
【図７】
0006672870.tif 000008
【図８】
0006672870.tif 000009